(57)【要約】【課題】  一般家庭の女性や老人でも簡単に使用することができる耕耘装置を提供すること。【解決手段】  上下方向に伸延する支持部の下端部に、電動駆動部を内蔵する耕耘軸部を回動自在に支持させ、同支持部の下部に、上記電動駆動部に給電する電源部を設けると共に、同電源部は、耕耘作業時において耕耘軸部の直上方に位置するようにした。従って、耕耘装置自体を小型軽量で、特に、一般家庭の女性や老人でも簡単に使用することができる軽量かつコンパクトな形態となすことができる。【選択図】    図１
2006158318.tif 000002
【特許請求の範囲】
【請求項１】
上下方向に伸延する支持部の下端部に、電動駆動部を内蔵する耕耘軸部を回動自在に支持させ、同支持部の下部に、上記電動駆動部に給電する電源部を設けると共に、同電源部は、耕耘作業時において耕耘軸部の直上方に位置するようにしたことを特徴とする耕耘装置。
【請求項２】
支持部の下部に上下方向に伸延する抵抗棒を設けると共に、同抵抗棒の下端部を耕耘軸部よりも後方位置に配置したことを特徴とする請求項１記載の耕耘装置。
【請求項３】
耕耘作業時において、電源部の重心位置は耕耘軸部の回転中心位置よりも前方に位置すると共に、抵抗棒の下端部の位置は耕耘軸部の回転中心位置よりも後方に位置するように配置したことを特徴とする請求項２記載の耕耘装置。
【発明の詳細な説明】
【技術分野】
【０００１】
本発明は、歩行型の耕耘装置に関する。
【背景技術】
【０００２】
従来、歩行型の耕耘装置の一形態として、機体フレームにミッションケースを支持させ、同ミッションケースに走行車輪を連動連結すると共に、同ミッションケースにロータリケースを介して耕耘軸部を連動連結し、また、機体フレームに設けた電動モータに伝動機構を介して上記ミッションケースを連動連結し、さらに、機体フレームの後端部より後上方へ向けてハンドルバーを延設したものがある（例えば、特許文献１参照）。
【０００３】
このようにして、電動モータを駆動させることにより、走行車輪と耕耘軸部を回動させることができるようにして、オペレータは、ハンドルバーの先端部を把持して、歩行しながら耕耘軸部に取り付けた耕耘爪により耕耘作業を行うことができるようにしている。
【特許文献１】特開２００１−１６９６０２号公報
【発明の開示】
【発明が解決しようとする課題】
【０００４】
ところが、近年では、家庭菜園を行う人が増えてきており、一般家庭においては、従来の歩行型の耕耘装置でも収納スペースに事欠くことがあった。
【０００５】
そこで、小型軽量で、特に、一般家庭の女性や老人でも簡単に使用することができる軽量かつコンパクトな耕耘装置の開発が望まれていた。
【課題を解決するための手段】
【０００６】
そこで、本発明では、上下方向に伸延する支持部の下端部に、電動駆動部を内蔵する耕耘軸部を回動自在に支持させ、同支持部の下部に、上記電動駆動部に給電する電源部を設けると共に、同電源部は、耕耘作業時において耕耘軸部の直上方に位置するようにしたことを特徴とする耕耘装置を提供するものである。
【０００７】
また、本発明は、以下の構成にも特徴を有する。
【０００８】
（１）支持部の下部に上下方向に伸延する抵抗棒を設けると共に、同抵抗棒の下端部を耕耘軸部よりも後方位置に配置したこと。
【０００９】
（２）耕耘作業時において、電源部の重心位置は耕耘軸部の回転中心位置よりも前方に位置すると共に、抵抗棒の下端部の位置は耕耘軸部の回転中心位置よりも後方に位置するように配置したこと。
【発明の効果】
【００１０】
（１）請求項１記載の本発明では、上下方向に伸延する支持部の下端部に、電動駆動部を内蔵する耕耘軸部を回動自在に支持させ、同支持部の下部に、上記電動駆動部に給電する電源部を設けると共に、同電源部は、耕耘作業時において耕耘軸部の直上方に位置するようにしている。
【００１１】
このようにして、上下方向に伸延する支持部の下端部と下部とに、それぞれ電動駆動部を内蔵する耕耘軸部と、同電動駆動部に電気を供給する電源部とを設けているため、耕耘装置自体を小型軽量で、特に、一般家庭の女性や老人でも簡単に使用することができる軽量かつコンパクトな形態となすことができる。
【００１２】
しかも、電源部は、耕耘作業時において耕耘軸部の直上方に位置するようにしているため、耕耘装置自体の重心位置を支持部の下端部に配置することができて、同耕耘装置の操作性と安定性とを良好に確保することができると共に、耕耘軸部を圃場の土壌に確実に耕耘作用させることができて、耕耘性能も良好に確保することができる。
【００１３】
従って、この点からも一般家庭の女性や老人でも簡単に使用することができる。
【００１４】
（２）請求項２記載の本発明では、支持部の下部に上下方向に伸延する抵抗棒を設けると共に、同抵抗棒の下端部を耕耘軸部よりも後方位置に配置している。
【００１５】
このようにして、抵抗棒の下端部を耕耘軸部よりも後方位置に配置しているため、適宜、支持部を介して抵抗棒の下端部を圃場中に押し込んで、耕耘作動しながら前方へ移動する耕耘軸部に負荷を与えることにより、進行度合いを適度に調整することができる。
【００１６】
（３）請求項３記載の本発明では、耕耘作業時において、電源部の重心位置は耕耘軸部の回転中心位置よりも前方に位置すると共に、抵抗棒の下端部の位置は耕耘軸部の回転中心位置よりも後方に位置するように配置している。
【００１７】
このようにして、耕耘軸部の回転中心位置を中心にして、電源部の重心位置を前方に配置する一方、抵抗棒の下端部を後方に配置しているため、支持部を前後方向に回動操作するだけで、耕耘軸部の回転中心位置を中心に、抵抗棒による耕耘軸部の負荷を調整して、進行度合いを適度に調整することができると共に、電源部の荷重により耕耘軸部を圃場の土壌に確実に耕耘作用させることができて、耕耘性能を向上させることができる
【発明を実施するための最良の形態】
【００１８】
以下に、本発明に係る最良の実施形態について、図面を参照しながら説明する。
【００１９】
図１は、本発明に係る耕耘装置Ａの側面説明図、図２は、同耕耘装置Ａの正面説明図であり、同耕耘装置Ａは、上下方向に伸延する支持部１の下端部に、電動駆動部としての電動モータ16を内蔵する耕耘軸部２を回動自在に支持させ、同支持部１の下部に、上記電動駆動部に給電する電源部３を設けると共に、同電源部３は、耕耘作業時において耕耘軸部２の直上方に位置するようにしている。
【００２０】
そして、支持部１は、図１及び図２に示すように、耕耘軸部２を支持する耕耘軸部支持体４と、同耕耘軸部支持体４の上部から前方へ張り出し状に設けて電源部３を支持する電源部支持体５と、同電源部支持体５及び上記耕耘軸部支持体４から後上方へ向けて伸延させて形成した支持部本体６と、同支持部本体６の上端部より後方へ延設して形成した把持体７とを具備している。
【００２１】
また、耕耘軸部支持体４は、左右一対の上下伸延片8,8と、両上下伸延片8,8の上端部間に架設した左右伸延片９とから正面視門型に形成しており、これら伸延片8,8,9は中空パイプを折曲して一体成形している。
【００２２】
電源部支持台５は、四角形枠状に形成して、上記耕耘軸部支持体４の左右伸延片９に後端部を固設して片持ち支持させている。
【００２３】
支持部本体６は、鉛直方向に略沿った上下方向に軸線を向けた下端部取付片10と、同下端部取付片10の上端部より後上方へ向けて傾斜状に伸延させて形成した支持部本片11とを中空パイプを折曲して一体成形している。
【００２４】
そして、上記耕耘軸部支持体４の左右伸延片９の後面中央部と電源部支持台５の後面中央部とに下端部取付片10を固設すると共に、同下端部取付片10に抵抗棒12の上端部を着脱自在に取り付けている。
【００２５】
把持体７は、前記した支持部本片11の上端部より後方へ延設して形成し、同把持体７の近傍に電源を入り切りする操作レバー13を設けて、同操作レバー13を操作することにより、操作ワイヤ14を介して後述する電源部３のバッテリー20と電動モータ18との接続を入り切り操作することができるようにしている。
【００２６】
このようにして、耕耘作業者は、把持体７を把持した状態にて圃場Ｈ面上を歩行しながら操作を行うことができるようにしており、この際、操作レバー13を把持体７を把持したまま把持操作することにより、電動モータ18を停止させることができるようにしている。なお、電動モータ18は、メインスイッチ（図示せず）を入り・切り操作することにより、始動・停止させることができるようにしている。
【００２７】
耕耘軸部２は、前記した耕耘軸部支持体４に形成した左右一対の上下伸延片8,8の下端部間に回動支軸15,15を介して回動軸16を左右方向の軸線回りに回動自在に横架し、同回動軸16の外周面に複数の耕耘爪17を取り付けている。
【００２８】
そして、回動軸16は筒状に形成して、同回動軸16内に電源駆動部としての電動モータ18を収容すると共に、一方の回動支軸15に支持させ、同電動モータ18を減速機構29を介して回動軸16に連動連結している。
【００２９】
このようにして、電動モータ18により減速機構29を介して回動軸16を回転させることにより、同回動軸16の外周面に取り付けた耕耘爪17により圃場Ｈを耕耘することができるようにしている。
【００３０】
電源部３は、電源部支持台５上に電源部ケース19を載設し、同電源部ケース19内に電源としてのバッテリー20と整流器等の制御手段21とを収容している。
【００３１】
そして、バッテリー20は、前記電動モータ18に電気コード（図示せず）を介して接続しており、同電気コードは、中空パイプを折曲して形成した耕耘軸部支持体４中を通して配線している。
【００３２】
電源部ケース19は、電源部支持台５上に固定した固定側ケース形成体22と、同固定側ケース形成体22に開閉自在に取り付けた開閉側ケース形成体23とから形成しており、両ケース形成体22,23は、合成樹脂により成形している。24は、開閉側ケース形成体23を閉塞状態にロックするロック片である。
【００３３】
このようにして、バッテリー20等を電源部ケース19内に収容しているため、防水性や防塵性を良好に確保することができると共に、外的要因ないしは人的要因からバッテリー20等を保護することができ、デザイン性も向上させることができる。
【００３４】
しかも、開閉側ケース形成体23を開放することにより、バッテリー20等のメンテナンス等を容易に行うことができると共に、バッテリー20等の取り替え作業も容易に行うことができる。
【００３５】
抵抗棒12は、鉛直方向に略沿った上下方向に軸線を向けた上端部取付片25と、同上端部取付片25の下端部より後下方へ伸延させて形成した中途部片26と、同中途部片26の下端部より鉛直方向に略沿わせて下方へ延設した抵抗棒本片27とから形成している。
【００３６】
そして、芯支持部本体６の下端部取付片10に形成した下端開口部28より、抵抗棒12の上端部取付片25を下方から上下スライド位置調節自在に挿入し、同上端部取付片25を下端部取付片10に取り付けた締め付け固定ボルト28により締め付けて、所要の位置にて固定することができるようにしている。
【００３７】
このようにして、芯支持部本体６の下端部取付片10に、抵抗棒12の上端部取付片25を取り付けて、図１に実線で示すように、抵抗棒本片27を耕耘軸部２よりも後方に離隔させた使用位置(a)に配置することができるようにしている。
【００３８】
しかも、抵抗棒12は、締め付け固定ボルト28を弛めることにより、上下方向にスライド位置調節することができると共に、下端部取付片10の軸線Ｐの回りに１８０度回動させることにより、抵抗棒本片27を耕耘軸部２の耕耘爪17と耕耘爪17との間で、かつ、耕耘軸16の外周面に近接させた収納位置(b)に配置して、コンパクトな収納状態となすことができるようにしている。
【００３９】
さらには、支持部本体６の下端部を抵抗棒12を取り付けるための下端部取付片10となしているため、別途に取付部材を設ける必要性がなく、重量と製造コストの低減化と構造の簡易化とを図ることができる。
【００４０】
なお、支持部本体６の下端部を後下方へ向けて伸延させて抵抗棒12となすこともでき、この場合、構造の簡易化を図ることができる。
【００４１】
また、本実施の形態では、図１に示すように、耕耘作業時において、電源部３の重心位置Ｇは、耕耘軸部２の回転中心位置Ｃよりも前方に一定幅Ｌだけ偏倚させて配置すると共に、抵抗棒12の下端部の抵抗棒本片27の位置は、耕耘軸部２の回転中心位置Ｃよりも後方に位置するように配置している。
【００４２】
このようにして、電源部３の重心位置Ｇを、耕耘軸部２の回転中心位置Ｃよりも前方に一定幅Ｌだけ偏倚させて配置しているため、電源部３の荷重がｇ方向に作用して、耕耘軸部２の耕耘爪17が圃場Ｈの土壌に確実にくい込み、同耕耘爪17が土壌に良好に耕耘作用して、耕耘性能を向上させることができる。
【００４３】
しかも、抵抗棒12の下端部の抵抗棒本片27の位置を、耕耘軸部２の回転中心位置Ｃよりも後方に配置しているため、把持体７を把持して支持部１を前後方向に回動操作するだけで、耕耘軸部２の回転中心位置Ｃを中心に、抵抗棒12を昇降させることができて、同抵抗棒12による耕耘軸部２の負荷を調整して、進行度合いを適度に調整することができる。
【図面の簡単な説明】
【００４４】
【図１】本発明に係る耕耘装置の側面説明図。
【図２】同耕耘装置の正面説明図。
【符号の説明】
【００４５】
Ａ  耕耘装置
１  支持部
２  耕耘軸部
３  電源部
【図１】
2006158318.tif 000003
【図２】
2006158318.tif 000004